【手続補正書】
【提出日】平成15年11月5日(2003.11.5)
【手続補正１】
【補正対象書類名】明細書
【補正対象項目名】発明の名称
【補正方法】変更
【補正の内容】
【発明の名称】余剰汚泥処理システム及び余剰汚泥処理方法
【手続補正２】
【補正対象書類名】明細書
【補正対象項目名】特許請求の範囲
【補正方法】変更
【補正の内容】
【特許請求の範囲】
【請求項１】
下水処理場より排出される余剰汚泥を凝集する凝集手段と、
凝集した余剰汚泥を発酵分解処理が可能な含水率まで脱水する脱水手段と、
脱水した余剰汚泥を好気性微生物により分解する微生物分解手段と、
この微生物分解手段に必要な酸素を送り込む給気手段と、
同微生物分解手段によって分解生成された水分および脱水した余剰汚泥に含まれる水分を分解時に発生する熱によって加熱蒸発させるときの補助となる加熱手段と、
同微生物分解手段における微生物活性環境を維持するために蒸発した水蒸気を系外に放出する排気手段と、
から成る余剰汚泥処理システム。
【請求項２】
前記脱水手段が、凝集手段によって凝集された余剰汚泥を網目状の勾配通路に沿って流下させつつ、この流下物を所定速度で案内移送する送り機構によって水抜きする濃縮機と、
この濃縮機によって濃縮された余剰汚泥を送出圧によって脱水する回転スクリューを備えたスクリュープレス脱水機とからなることを特徴とする請求項１記載の余剰汚泥処理システム。
【請求項３】
前記微生物分解手段には、脱水した余剰汚泥を好気性微生物
によって分解処理する際の臭気を吸引して脱臭処理する脱臭手段を備えることを
特徴とする請求項１記載の余剰汚泥処理システム。
【請求項４】
下水処理場より排出される余剰汚泥を凝集する凝集工程と、
凝集した余剰汚泥を発酵分解処理が可能な含水率まで脱水する脱水工程と、
脱水した余剰汚泥を必要な酸素を送り込みながら好気性微生物により分解する微生物分解工程と、
微生物分解工程によって分解生成された水分および脱水した余剰汚泥に含まれる水分を加熱蒸発させる加熱工程と、
蒸発した水蒸気を系外に放出する排気工程と、
からなり上記順序で行うことを特徴とする余剰汚泥処理方法。
【手続補正３】
【補正対象書類名】明細書
【補正対象項目名】０００１
【補正方法】変更
【補正の内容】
【０００１】
【発明の属する技術分野】
本発明は、下水処理後の余剰汚泥を処理する余剰汚泥処理システム及び余剰汚泥処理方法に関し、特に、余剰汚泥を効率よく分解処理して環境負荷を最小限度に抑えることができる余剰汚泥処理システム及び余剰汚泥処理方法に関する。


【手続補正４】
【補正対象書類名】明細書
【補正対象項目名】０００４
【補正方法】変更
【補正の内容】
【０００４】
本発明の目的は、余剰汚泥を効率よく分解処理して環境負荷を最小限度に抑えることができる余剰汚泥処理システム及び余剰汚泥処理方法を提供することにある。


【手続補正５】
【補正対象書類名】明細書
【補正対象項目名】０００５
【補正方法】変更
【補正の内容】
【０００５】
【課題を解決するための手段】
上記課題を解決するために、請求項１に係る発明は、下水処理場より排出され
る余剰汚泥を凝集する凝集手段と、凝集した余剰汚泥を発酵分解処理が可能な含水率まで脱水する脱水手段と、脱水した余剰汚泥を好気性微生物により分解する微生物分解手段と、この微生物分解手段に必要な酸素を送り込む給気手段と、同微生物分解手段によって分解生成された水分および脱水した余剰汚泥に含まれる水分を分解時に発生する熱によって加熱蒸発させるときの補助となる加熱手段と、同微生物分解手段における微生物活性環境を維持するために蒸発した水蒸気を系外に放出する排気手段とから余剰汚泥処理システムを構成したものである。
上記余剰汚泥処理システムにおいては、イオン反応により凝集させる凝集反応槽等の凝集手段によって余剰汚泥が凝集され、これを脱水手段によって脱水することにより含水率が８０％未満まで低減される。ここまで脱水処理された余剰汚泥は、発酵分解槽等の微生物分解手段によって水と炭酸ガスに分解される。このとき、加熱手段と排気手段によって微生物分解手段における微生物活性環境を維持することにより、連続的に微生物分解処理が可能となる。
【手続補正６】
【補正対象書類名】明細書
【補正対象項目名】０００６
【補正方法】変更
【補正の内容】
【０００６】
請求項２に係る発明は、前記脱水手段が凝集手段によって凝集された余剰汚泥を網目状の勾配通路に沿って流下させつつ、この流下物を所定速度で案内移送する送り機構によって水抜きする濃縮機と、この濃縮機によって濃縮された余剰汚泥を送出圧によって脱水する回転スクリューを備えたスクリュープレス脱水機とから余剰汚泥処理システムを構成したものである。
この余剰汚泥処理システムの濃縮機においては、そのメッシュ状の勾配通路によって水抜きすることにより９８％以上を占めていた水分が９６％まで低減され、これをスクリュープレス脱水機が回転スクリューの送出圧によって含水率８０％未満に脱水される。
【手続補正７】
【補正対象書類名】明細書
【補正対象項目名】０００７
【補正方法】変更
【補正の内容】
【０００７】
請求項３に係る発明は、前記微生物分解手段には、脱水した余剰汚泥を好気性微生物によって分解処理する際の臭気を吸引して脱臭処理する脱臭手段を備えることにより余剰汚泥処理システムを構成したものである。
この余剰汚泥処理システムは、その脱臭手段により、微生物分解手段において発生する臭気の発散を防止することができる。
【手続補正８】
【補正対象書類名】明細書
【補正対象項目名】０００８
【補正方法】変更
【補正の内容】
【０００８】
請求項４に係る発明は、下水処理場より排出される余剰汚泥を凝集する凝集工程と、
凝集した余剰汚泥を発酵分解処理が可能な含水率まで脱水する脱水工程と、
脱水した余剰汚泥を必要な酸素を送り込みながら好気性微生物により分解する微生物分解工程と、
微生物分解工程によって分解生成された水分および脱水した余剰汚泥に含まれる水分を加熱蒸発させる加熱工程と、
蒸発した水蒸気を系外に放出する排気工程と、
からなり上記順序で行うことを特徴とする余剰汚泥処理方法である。
【手続補正９】
【補正対象書類名】明細書
【補正対象項目名】００１５
【補正方法】変更
【補正の内容】
【００１５】
【発明の効果】
本発明の余剰汚泥処理システムは以下の効果を奏する。
上記余剰汚泥処理システムは、凝集手段、脱水手段、微生物分解手段、給気手段、加熱手段、排気手段等によって構成したことから、下水の終末処理によって排出された余剰汚泥が脱水され、さらに微生物分解処理により炭酸ガスと水にまで分解される。このとき、加熱手段、排気手段によって水分が調整され、給気手段と合わせた作用により微生物活性環境が維持されることから、分解処理を継続することができる。したがって、余剰汚泥はそのすべてが、炭酸ガスと水に分解され、廃棄処理による環境問題を解消することができる。
また、濃縮機とスクリュープレス脱水機とによって前記脱水手段を構成した場合は、濃縮機によって水抜きすることにより９８％以上を占めていた水分が９６％まで低減され、これをスクリュープレス脱水機が回転スクリューの送出圧によってさらに脱水することから、簡易な構成によって効率よく脱水することができる。
さらに、微生物分解手段に脱臭手段を備えた場合は、微生物分解処理において発生する臭気の発散が防止される。したがって、都市部におけるシステム稼動が可能となるので、余剰汚泥を能率よく処理するために下水処理施設と近接して配置することができる。
上記余剰汚泥処理方法は、凝集工程と、脱水工程と、微生物分解工程と、加熱工程と、排気工程とからなり上記順序で行う。したがって、大量の水分を含む余剰汚泥の含水率を発酵分解処理が可能な程度まで効率よく低減できる。また加熱工程により余分な水分を蒸発させ、この水蒸気を排出して微生物の活性環境を整え、微生物分解反応処理を促進できる。